(57)【要約】【課題】台形歪補正後の投写画像の大きさと補正前の投写画像の大きさとを比較することができるプロジェクタおよびその制御方法を得る。【解決手段】入力画像信号に基づいて投写画像用の画像信号を生成する画像信号処理部３２と、画像信号処理部３２により生成された画像信号に基づき、光源１１から射出された光束を変調する光変調部と、光変調部により変調された光束を拡大投写する投写光学系１３と、与えられた補正量に基づいて、投写画像の台形歪を補正したときの画像の輪郭に相当する補正枠画像信号を生成する台形歪補正部３２１とを備え、画像信号処理部３２は、画像信号と補正枠画像信号とを合成した合成画像信号を生成し、台形歪補正部３２１は、合成画像信号に基づく画像が投写された後、画像信号による画像の輪郭が、補正枠画像信号による補正枠画像と合うように、画像信号を補正するものである。【選択図】図１
2009251542.tif 000002
【特許請求の範囲】
【請求項１】
入力画像信号に基づいて投写画像用の画像信号を生成する画像信号処理部と、
前記画像信号処理部により生成された画像信号に基づき、光源から射出された光束を変調する光変調部と、
前記光変調部により変調された光束を拡大投写する投写光学系と、
与えられた補正量に基づいて、前記投写画像の台形歪を補正したときの画像の輪郭に相当する補正枠画像信号を生成する台形歪補正部と
を備え、
前記画像信号処理部は、前記画像信号と前記補正枠画像信号とを合成した合成画像信号を生成し、
前記台形歪補正部は、前記合成画像信号に基づく画像が投写された後、前記画像信号による画像の輪郭が、前記補正枠画像信号による補正枠画像と合うように、前記画像信号を補正することを特徴とするプロジェクタ。
【請求項２】
操作内容に応じた操作信号を入力するための操作信号入力部と、
前記操作信号入力部から台形歪を補正する操作信号を受け取ったとき、当該操作信号に応じた補正量を前記台形歪補正部に出力する制御部と
を更に備えたことを特徴とする請求項１記載のプロジェクタ。
【請求項３】
投写光軸の水平方向に対する傾斜角度を検出する角度検出部と、
前記角度検出部が検出した傾斜角度に応じた補正量を前記台形歪補正部に出力する制御部と
を更に備えたことを特徴とする請求項１記載のプロジェクタ。
【請求項４】
前記投写画像を撮像する撮像手段と、
前記撮像手段が撮像した画像に基づいて、前記投写画像の台形歪を是正するための補正量を前記台形歪補正部に出力する制御部と
を更に備えたことを特徴とする請求項１記載のプロジェクタ。
【請求項５】
前記制御部は、
前記合成画像信号に基づく画像が投写され、所定時間経過後、前記台形歪補正部に前記画像信号の補正を行わせることを特徴とする請求項２〜４の何れかに記載のプロジェクタ。
【請求項６】
前記制御部は、
前記合成画像信号に基づく画像が投写された後、前記操作信号入力部から所定の操作信号を受け取ったとき、前記台形歪補正部に前記画像信号の補正を行わせることを特徴とする請求項２記載のプロジェクタ。
【請求項７】
前記画像信号処理部は、前記台形歪補正部が前記画像信号の補正を行った後、前記合成画像信号の生成を停止し、前記投写画像から前記補正枠画像を削除することを特徴とする請求項１〜６の何れかに記載のプロジェクタ。
【請求項８】
入力画像信号に基づいて投写画像用の画像信号を生成し、該画像信号に基づき光源からの光を変調して画像を投写するプロジェクタの制御方法であって、
補正量を取得するステップと、
前記補正量に基づいて、前記投写画像の台形歪を補正したときの画像の輪郭に相当する補正枠画像信号を生成するステップと、
前記画像信号と前記補正枠画像信号とを合成した合成画像信号を生成するステップと、
前記合成画像信号による画像を投写するステップと、
前記画像信号による画像の輪郭が、前記補正枠画像信号による補正枠画像と合うように、前記画像信号を補正するステップと
を有することを特徴とするプロジェクタの制御方法。
【発明の詳細な説明】
【技術分野】
【０００１】
本発明は、画像の歪を補正するプロジェクタおよびその制御方法に関する。
【背景技術】
【０００２】
従来の技術としては、例えば特許文献１に「あおり投写した画像の台形歪み補正を行うプロジェクタであって、画像を投写するために必要となるユーザ操作を検出する操作検出部と、前記プロジェクタの設置角度を検出する角度検出部と、前記ユーザ操作を検出した場合に、前記設置角度に応じて前記台形歪み補正を行う画像補正部と、を備えるプロジェクタ。」が提案されている（例えば、請求項１を参照）。
【０００３】
【特許文献１】特開２００１−２２８５３７号公報
【発明の開示】
【発明が解決しようとする課題】
【０００４】
従来、スクリーンの投写面の法線と投写光の光軸との傾きにより生じる台形状の歪み（以下「台形歪」という。）を補正する際、画像信号を変形（補正）して、投写された画像と反対方向の台形形状とすることにより、投写画像の台形歪を補正している。
このような台形歪補正は、その補正量が増加するに従い、台形形状の上底（下底）及び高さが短くなり、画像信号に基づく投写画像の面積が減少し、解像度が低下することとなる。
【０００５】
しかしながら従来のプロジェクタは、台形歪を補正した後は、補正前の投写画像（以下「元画像」ともいう。）は残っていないので、補正前と補正後とで、投写画像が元画像に対してどの程度縮小されたのか比較することができない、という問題点があった。
【０００６】
本発明はこのような課題を解決するためになされたものであり、台形歪補正後の投写画像の大きさと補正前の投写画像の大きさとを比較することができるプロジェクタおよびその制御方法を得ることを目的とする。
【課題を解決するための手段】
【０００７】
本発明に係るプロジェクタは、入力画像信号に基づいて投写画像用の画像信号を生成する画像信号処理部と、前記画像信号処理部により生成された画像信号に基づき、光源から射出された光束を変調する光変調部と、前記光変調部により変調された光束を拡大投写する投写光学系と、与えられた補正量に基づいて、前記投写画像の台形歪を補正したときの画像の輪郭に相当する補正枠画像信号を生成する台形歪補正部とを備え、前記画像信号処理部は、前記画像信号と前記補正枠画像信号とを合成した合成画像信号を生成し、前記台形歪補正部は、前記合成画像信号に基づく画像が投写された後、前記画像信号による画像の輪郭が、前記補正枠画像信号による補正枠画像と合うように、前記画像信号を補正するものである。
本発明においては、画像信号と補正枠画像信号とを合成した合成画像信号に基づく画像を投写した後、画像信号による画像の輪郭が、補正枠画像信号による補正枠画像と合うように、画像信号を補正するので、台形歪補正後の投写画像の大きさと補正前の投写画像の大きさとを比較することができる。
【０００８】
本発明に係るプロジェクタは、操作内容に応じた操作信号を入力するための操作信号入力部と、前記操作信号入力部から台形歪を補正する操作信号を受け取ったとき、当該操作信号に応じた補正量を前記台形歪補正部に出力する制御部とを更に備えたものである。
本発明においては、操作信号に応じた補正量を台形歪補正部に出力するので、ユーザの操作により台形歪補正された後の投写画像の大きさと、補正前の投写画像の大きさとを比較することができる。
【０００９】
本発明に係るプロジェクタは、投写光軸の水平方向に対する傾斜角度を検出する角度検出部と、前記角度検出部が検出した傾斜角度に応じた補正量を前記台形歪補正部に出力する制御部とを更に備えたものである。
本発明においては、角度検出部が検出した傾斜角度に応じた補正量を台形歪補正部に出力するので、傾斜角度に応じて台形歪補正された後の投写画像の大きさと、補正前の投写画像の大きさとを比較することができる。
【００１０】
本発明に係るプロジェクタは、前記投写画像を撮像する撮像手段と、前記撮像手段が撮像した画像に基づいて、前記投写画像の台形歪を是正するための補正量を前記台形歪補正部に出力する制御部とを更に備えたものである。
本発明においては、撮像した画像に基づいた補正量を台形歪補正部に出力するので、撮像された投写画像の台形歪に応じて台形歪補正された後の投写画像の大きさと、補正前の投写画像の大きさとを比較することができる。
【００１１】
本発明に係るプロジェクタにおいては、前記制御部は、前記合成画像信号に基づく画像が投写され、所定時間経過後、前記台形歪補正部に前記画像信号の補正を行わせるものである。
本発明においては、合成画像信号に基づく画像が投写され、所定時間経過後、画像信号の補正を行うので、ユーザは所定時間、台形歪補正された後の投写画像の大きさと、補正前の投写画像の大きさとを比較することができる。
【００１２】
本発明に係るプロジェクタにおいては、前記制御部は、前記合成画像信号に基づく画像が投写された後、前記操作信号入力部から所定の操作信号を受け取ったとき、前記台形歪補正部に前記画像信号の補正を行わせるものである。
本発明においては、合成画像信号に基づく画像が投写され、所定の操作がなされたとき、画像信号の補正を行うので、ユーザは、台形歪補正された後の投写画像の大きさと、補正前の投写画像の大きさとを比較した後、所定の操作により、画像信号の補正を行わせることができる。
【００１３】
本発明に係るプロジェクタにおいては、前記画像信号処理部は、前記台形歪補正部が前記画像信号の補正を行った後、前記合成画像信号の生成を停止し、前記投写画像から前記補正枠画像を削除するものである。
本発明においては、画像信号の補正を行った後、投写画像から補正枠画像を削除することができる。
【００１４】
本発明に係るプロジェクタの制御方法は、入力画像信号に基づいて投写画像用の画像信号を生成し、該画像信号に基づき光源からの光を変調して画像を投写するプロジェクタの制御方法であって、補正量を取得するステップと、前記補正量に基づいて、前記投写画像の台形歪を補正したときの画像の輪郭に相当する補正枠画像信号を生成するステップと、前記画像信号と前記補正枠画像信号とを合成した合成画像信号を生成するステップと、前記合成画像信号による画像を投写するステップと、前記画像信号による画像の輪郭が、前記補正枠画像信号による補正枠画像と合うように、前記画像信号を補正するステップとを有するものである。
本発明においては、画像信号と補正枠画像信号とを合成した合成画像信号に基づく画像を投写した後、画像信号による画像の輪郭が、補正枠画像信号による補正枠画像と合うように、画像信号を補正するので、台形歪補正後の投写画像の大きさと補正前の投写画像の大きさとを比較することができる。
【発明を実施するための最良の形態】
【００１５】
実施の形態１．
図１は実施の形態１に係るプロジェクタの構成を示すブロック図、図２は実施の形態１に係る操作パネルの構成を示す図である。図に示すように、プロジェクタ１は、光源１１と、光変調部である液晶ライトバルブ１２Ｒ，１２Ｇ，１２Ｂ（以下、区別しない場合は単に「液晶ライトバルブ１２」という。）と、投写光学系１３と、液晶ライトバルブ駆動部１４と、制御部２０と、画像入力部３１と、画像信号処理部３２と、フレームメモリ３３と、操作パネル４１と、リモコン受光部４２と、操作信号入力部４３と、記憶部４４とを備えている。また、画像信号処理部３２には、ＯＳＤ（Ｏｎ−Ｓｃｒｅｅｎ  Ｄｉｓｐｌａｙ）処理部３２０と台形歪補正部３２１とを有している。さらに、操作パネル４１には、台形歪補正キー４１０−１，４１０−２を有している。
このプロジェクタ１は、外部接続機器２から供給される入力画像信号に応じた画像光を投射して、スクリーン、白壁又はホワイトボード等の被投写体（以下「スクリーンＳＣ」という。）に拡大投写するものである。
【００１６】
制御部２０は、光源１１、画像入力部３１、画像信号処理部３２、操作信号入力部４３、及び記憶部４４と接続され、プロジェクタ１の動作を統括制御する。この制御部２０は、マイクロプロセッサ等により構成され、記憶部４４に記憶された制御プログラム等を実行して、制御部２０に接続された各部から入力される各種データを演算するとともに、演算結果を前記各部に出力する。また、後述する動作により、操作信号入力部４３から台形歪を補正する操作信号を受け取ったとき、当該操作信号に応じた補正量を台形歪補正部３２１に出力する。なお、制御部２０は光源駆動部（図示せず）を介して光源１１を制御する。
【００１７】
画像入力部３１は、外部接続機器２と接続する１又は複数の接続端子を備え、外部接続機器２から入力される１又は複数の入力画像信号を取り込んで、それが例えばアナログ画像信号の場合にはデジタルの画像信号に変換する等の処理をして、画像信号処理部３２に出力する。尚、画像入力部３１が備える接続端子としては、例えば、ＲＧＢ端子、ＢＮＣ端子、Ｓ端子、ビデオ端子、ＤＶＩ端子などを備え、パーソナルコンピュータや各種ビデオ機器、ＤＶＤ再生機器などと接続される。
【００１８】
画像信号処理部３２は、例えばマイクロプロセッサ（例えばＤＳＰ）等の信号処理回路から構成され、それに内蔵した記憶部に格納された制御プログラムを実行することにより各種の処理を行う。また、画像信号処理部３２にはフレームメモリ３３が接続されており、画像入力部３１からの入力画像信号を１フレーム（１画像画面）毎にフレームメモリ３３に記憶させるとともに、フレームメモリ３３に記憶された画像（以下「フレーム画像」ともいう。）を読み出す機能を有し、また、画像信号の解像度を液晶ライトバルブ１２の解像度に合わせる解像度変換処理等の各種の信号処理を施して投写画像用の画像信号を生成する。
【００１９】
画像信号処理部３２のＯＳＤ処理部３２０は、制御部２０からの制御命令に従って、プロジェクタ１の各種状態を表す文字や記号、画質調整等を行う際のメニュー画像や、後述する補正枠画像１００などのＯＳＤ画像信号をフレーム画像信号と合成して合成画像信号を生成する処理を行う。具体的には、制御部２０が例えば記憶部４４から各種メニュー画像データを読み出して画像信号処理部３２に供給し、画像信号処理部３２は例えばメニュー画像データによりＯＳＤ画像信号を生成し、このＯＳＤ画像信号をフレーム画像信号と合成する。なお、ＯＳＤ処理をしない場合には、フレーム画像信号がそのまま出力されることになる。上記のＯＳＤ処理によりメニュー画像が表示されると、ユーザはメニュー画像に従ってプロジェクタ１の各部の機能を設定又は調整することになる。
【００２０】
画像信号処理部３２の台形歪補正部３２１は、スクリーンＳＣに対してプロジェクタ１を傾けた状態で投写（あおり投写）した場合に生じる台形歪を是正するために、入力された画像信号の補正を行い、補正した画像信号を液晶ライトバルブ駆動部１４に出力する。また、後述する動作により、制御部２０から与えられた補正量に基づいて、投写画像の台形歪を補正したときの画像の輪郭に相当する補正枠画像信号を生成する。尚、台形歪補正部３２１の処理については、さらに後述する。
【００２１】
液晶ライトバルブ駆動部１４は、入力された画像信号に応じて、液晶ライトバルブ１２Ｒ，１２Ｇ，１２Ｂを駆動する。液晶ライトバルブ１２Ｒ，１２Ｇ，１２Ｂは、それぞれ、複数の画素（図示せず）がマトリクス状に形成されており、液晶ライトバルブ駆動部１４により各画素の透過率が調整されることにより、光源１１から射出され、色光分離光学系（図示せず）によって各色光に分離されたＲ（赤）、Ｇ（緑），Ｂ（青）の各色光を、対応する液晶ライトバルブ１２Ｒ，１２Ｇ，１２Ｂによって変調する。液晶ライトバルブ１２Ｒ，１２Ｇ，１２Ｂから射出された画像光は、クロスダイクロイックプリズム（図示せず）などの合成光学系により合成され、投写光学系１３によってスクリーンＳＣ上に拡大投写される。
【００２２】
操作パネル４１は、プロジェクタ１の本体に設けられており、図２に示すように、台形歪の補正方向に応じた操作を行う台形歪補正キー４１０−１，４１０−２（以下、区別しない場合は単に「台形歪補正キー４１０」という）、電源キー、入力画像切り換え操作を行う入力切換キー、メニューキー、メニュー画面等で例えばカーソルを上下左右に移動させて項目選択操作を行う選択キー、及びプロジェクタ１の状態変更等を行うための各種スイッチ類を有し、ユーザによるキー操作に応じた操作信号を操作信号入力部４３に入力する。
【００２３】
リモートコントローラ（以下「リモコンＲＣ」という。）は、プロジェクタ１の外部に設けられ、上記操作パネル４１と同様な各種スイッチ類や０〜９までの数字キーなどを有し、ユーザによるキー操作に応じた操作信号を送信する。そして、リモコンＲＣからの操作信号は、リモコン受光部４２を介して操作信号入力部４３に入力される。
【００２４】
操作信号入力部４３は、操作パネル４１又はリモコン受光部４２からの操作信号を受信し、操作内容に応じた操作信号を制御部２０へ入力する。
【００２５】
記憶部４４は、制御部２０が実行する制御プログラム、補正枠画像１００やメニュー画像などのＯＳＤ画像を生成するためのＯＳＤ情報を記憶するとともに、プロジェクタ１の各種設定値等を記憶する。また、後述する動作により操作に応じた補正量の情報が記憶される。
【００２６】
上記のような構成によりプロジェクタ１は、外部接続機器２から画像入力部３１に入力画像信号が入力され、画像信号処理部３２により、入力画像信号を変換して投写画像用の画像信号の生成する。そして生成した画像信号を液晶ライトバルブ駆動部１４へ入力し、液晶ライトバルブ駆動部１４は、入力された画像信号に応じて、液晶ライトバルブ１２を駆動する。液晶ライトバルブ１２は、液晶ライトバルブ駆動部１４により各画素の透過率が調整されることにより、光源１１の光を変調して画像光を射出する。そして、この画像光（以下「投写光」ともいう。）は、投写光学系１３を介してスクリーンＳＣに投射される。
【００２７】
ところで、スクリーンＳＣの投写面上に画像を表示する際に、プロジェクタ１から射出される投写光の光軸（中心軸）とスクリーンＳＣの投写面の法線とが一致していない場合には、投写面上に表示される画像は略台形状に歪む。換言すれば、プロジェクタ１が画像をあおり投写する場合には、投写画像は、略台形状に歪む。これは、プロジェクタ１から射出される光がスクリーンＳＣに達するまでの距離が、投写画像内の各点で異なることに起因する。
【００２８】
このような画像歪み（台形歪み）は、液晶ライトバルブ１２に供給する画像信号を調整することによって補正する。これにより、スクリーンＳＣ上に投写される画像の歪みを是正することができる。このような台形歪補正について次に説明する。
【００２９】
図３はプロジェクタの台形歪補正を説明する説明図である。図３では、上方に向けてあおり投写を行った場合に、スクリーンＳＣに表示される投写画像が上方ほど拡大されて台形状に歪んでいる状態を示している。図３（ａ）は補正前の状態を説明する図であり、図３（ｂ）は補正後の状態を説明する図である。また、図３（ａ−１），（ｂ−１）は、液晶ライトバルブ１２に入力される画像信号（フレーム画像）を示す図であり、図３（ａ−２），（ｂ−２）は、スクリーンＳＣに投写される投写画像を示す図である。
【００３０】
図３（ａ−１）に示すように、台形歪補正部３２１が画像信号を調整しない場合には、画像１２ａが液晶ライトバルブ１２Ｒ，１２Ｇ，１２Ｂに形成される。このとき、スクリーンＳＣ上には、図３（ａ−２）に示すように、上側に膨らんだ略台形形状の投写画像Ｇ１が表示される。
【００３１】
そこで、台形歪補正部３２１は、図３（ｂ−１）に示すように、画像信号を調整して、画像信号に基づいた画像（投写画像Ｇ２）を形成するための画像形成領域１２ｂを、画素領域１２ａ内に定める。即ち、台形歪が相殺されて投写画像Ｇ２が正規の形状でスクリーンＳＣに表示されるように、画像形成領域１２ｂを投写画像Ｇ１と反対向きの台形形状とするとともに、画像形成領域１２ｂの外側の領域１２ｃに含まれる各画素の透過率が最小となるように画像信号を補正することにより、図３（ｂ−２）に示すように、投写画像Ｇ２が正規の形状でスクリーンＳＣに表示される。
【００３２】
このように、台形歪補正部３２１が画像信号を調整することにより、スクリーンＳＣ上に表示される画像の歪みが補正される。
【００３３】
しかしながら、上記のような台形歪を補正した投写画像Ｇ２を投写した後は、補正前の投写画像Ｇ１（以下「元画像」ともいう。）は残っていないので、補正前と補正後とで、投写された画像が元画像に対してどの程度縮小されたのか比較することができない。このためユーザは、補正後の画像が小さくなりすぎて解像度が低下する場合などに、台形歪補正処理を行うのか、又はプロジェクタ１の設置状態を調整するのかを判断する目安を知ることができない。
従って、本実施の形態では、補正したときの画像信号による画像の輪郭部分に相当する位置に補正枠画像１００を生成して、スクリーンＳＣ上に表示させた後、この補正枠画像１００と合うように画像信号の補正を実行する。このような動作の詳細を図４及び図５に基づき次に説明する。
【００３４】
図４は実施の形態１に係る台形歪補正の動作を示すフローチャート、図５は実施の形態１に係る台形歪補正時の投写画像を示す図である。また、図５（ａ）は台形歪補正前の投写画像を示す図であり、図５（ｂ）及び（ｃ）は補正枠画像が合成された投写画像を示す図であり、図５（ｄ）は台形歪補正後の投写画像を示す図である。
【００３５】
図５（ａ）に示すように、スクリーンＳＣ上に投写された投写画像Ｇ１の台形歪を補正する場合、ユーザは操作パネル４１の補正方向に応じた台形歪補正キー４１０を押下する。台形歪補正キー４１０が押下されると、操作信号入力部４３は、キー入力に応じた操作信号を受信し、この操作信号を制御部２０へ出力する。制御部２０は、入力された操作信号により、台形歪補正キー４１０の操作を検出し（Ｓ１０１）、当該操作に応じた補正量を台形歪補正部３２１に出力する。この補正量は、例えば台形歪補正キー４１０−１又は４１０−２のキー入力に応じた補正方向であって、１ステップ操作に対して予め設定した所定補正量を出力する。また制御部２０は当該補正量を記憶部４４に記憶させる。
【００３６】
台形歪補正部３２１は、入力された補正量に基づいて、投写画像の台形歪を補正したときの画像の輪郭に相当する補正枠画像信号を生成する。画像信号処理部３２は、ＯＳＤ処理部３２０により、画像入力部３１から入力された入力画像信号と、台形歪補正部３２１が生成した補正枠画像信号とを合成した合成画像信号を出力する。
この合成された合成画像信号は、液晶ライトバルブ駆動部１４により駆動される液晶ライトバルブ１２により、投写光学系１３を介してスクリーンＳＣに投写され、図５（ｂ）に示すように、入力画像信号による投写画像Ｇ１上に、補正枠画像信号による補正枠画像１００が表示される（Ｓ１０２）。
【００３７】
ここで、補正枠画像１００は、台形歪を補正したときの画像の輪郭に沿った点線表示とし、表示色は予め定めた所定の色相を用いる。尚、補正枠画像１００は、これに限らず、補正後の画像の輪郭を特定するものであれば良く、任意の画像を用いることができる。また、補正枠画像１００を所定の時間間隔で、表示させることにより、補正枠画像１００を点滅表示させても良い。
【００３８】
次に制御部２０は、タイマーをスタートさせた後（Ｓ１０３）、台形歪補正キー４１０が操作されたか否か、及び台形歪補正キー４１０以外の操作キーが操作されたか否かを判断する（Ｓ１０４，Ｓ１０５）。そして、タイマースタートから所定時間経過したか否かを判断する（Ｓ１０６）。
【００３９】
尚、ステップＳ１０５の判断においては、台形歪補正キー４１０以外の操作キーが操作されたか否かに限らず、予め定めた所定の操作キーが操作されたか否かを判断するようにしても良い。
【００４０】
タイマースタートから所定時間経過前に台形歪補正キー４１０が操作されたとき（Ｓ１０４）、上記ステップＳ１０２に戻り、制御部２０は当該操作に応じた補正量を台形歪補正部３２１に出力する。台形歪補正部３２１は、再度、入力された補正量に基づいて補正枠画像信号を生成する。即ち、前回のステップＳ１０２で記憶させた補正量に、当該操作よる補正量を加算した補正量で、投写画像の台形歪を補正したときの画像の輪郭に相当する補正枠画像信号を生成する。尚、当該操作に応じた補正量の補正方向が、前回ステップＳ１０２での補正方向と異なる場合には、前回のステップＳ１０２で記憶させた補正量に、当該操作による補正量を減算した補正量で補正枠画像信号を生成する。
【００４１】
そして同様に、画像信号処理部３２は、入力画像信号と補正枠画像信号とを合成した合成画像信号を出力し、入力画像信号による投写画像Ｇ１上に、補正枠画像信号による補正枠画像１００が表示される。これにより、図５（ｃ）に示すように、当該台形歪補正キー４１０の操作により、更に補正された補正枠画像１００が表示されることとなる。
【００４２】
一方、タイマースタートから所定時間経過前に台形歪補正キー４１０以外の操作キーが操作されたとき（Ｓ１０５）、又は、タイマースタートから所定時間経過したとき（Ｓ１０６）、制御部２０は、画像信号による投写画像Ｇ１の輪郭が、補正枠画像信号による補正枠画像１００と合うように、台形歪補正部３２１に画像信号の補正を行わせる（Ｓ１０７）。この補正は、最終的に補正枠画像信号を生成したときの補正量を用いて、画像信号を補正することにより、投写画像Ｇ１の輪郭が補正枠画像１００と合うように補正することができる。
【００４３】
次に画像信号処理部３２は、ＯＳＤ処理部３２０による合成画像信号の生成を停止し、補正された後の画像信号をそのまま出力することにより、図５（ｄ）に示すように、補正枠画像１００が削除された補正後の投写画像Ｇ２が投写される（Ｓ１０８）。
【００４４】
以上のように本実施の形態１においては、入力画像信号による投写画像Ｇ１上に、台形歪補正キー４１０の操作に応じた補正量により、投写画像の台形歪を補正したときの画像の輪郭に相当する補正枠画像１００を表示するので、台形歪補正後の投写画像Ｇ２の大きさと補正前の投写画像Ｇ１の大きさとを比較することができる。
【００４５】
また、台形歪補正後の投写画像Ｇ２の大きさと補正前の投写画像Ｇ１の大きさとを比較することにより、ユーザは、補正後の投写画像Ｇ２が、補正前の投写画像Ｇ１（元画像）に比べて小さくなりすぎる場合に設置位置を変える目安がわかる。
【００４６】
また、補正枠画像１００を表示した後、台形歪補正キー４１０以外の操作キーが操作されたとき又は所定時間経過したとき、画像信号の補正を行うので、ユーザは所定時間の間、台形歪補正後の投写画像Ｇ２の大きさと補正前の投写画像Ｇ１の大きさとを比較することができる。また、ユーザは、所定の操作により、画像信号の補正を行わせることができる。
【００４７】
また、画像信号による投写画像Ｇ１の輪郭が、補正枠画像信号による補正枠画像１００と合うように画像信号の補正を行うので、台形歪補正キー４１０の操作に応じた補正量により、画像信号の補正を行うことができる。
【００４８】
また、画像信号の補正を行った後、投写画像から補正枠画像１００を削除するので、台形歪補正を行った後は、入力画像信号に基づく画像を投写することができる。
【００４９】
尚、本実施の形態１では、操作パネル４１の台形歪補正キー４１０の操作により台形歪補正を行う場合の動作を説明したが、本発明はこれに限らず、リモコンＲＣに台形歪補正キーを備えて、リモコンＲＣの操作により台形歪補正を行っても良い。
【００５０】
実施の形態２．
上記実施の形態１では、台形歪補正キー４１０の操作により台形歪を補正したが、本実施の形態２では、プロジェクタ１の投写光軸の水平方向に対する傾斜角度を検出して、この傾斜角度に応じた補正量に基づいて台形歪を補正する形態について説明する。尚、上記実施の形態１と同一部分については同一符号を付して、その説明を省略する。
【００５１】
図６は実施の形態２に係るプロジェクタの構成を示すブロック図、図７は実施の形態２に係る操作パネルの構成を示す図である。図に示すように、本実施の形態２に係るプロジェクタ１は、上記実施の形態１の構成に加え、投写光軸の水平方向に対する傾斜角度を検出する角度検出部４５を備えている。さらに、本実施の形態２における操作パネル４１は、上記実施の形態１の構成に加え、自動補正キー４１１を備えている。
【００５２】
角度検出部４５は、制御部２０と接続され、検出した傾斜角度を制御部２０に出力する。この角度検出部４５は、例えば加速度センサーを用いてプロジェクタ１の設置角度を検出して、検出した傾斜角度情報を制御部２０に出力する。
また、本実施の形態２の記憶部４４には、投写光軸の水平方向に対する傾斜角度に応じた台形歪補正の補正量の情報（テーブル）が記憶されている。
【００５３】
上記のような構成により、本実施の形態２のプロジェクタ１は、角度検出部４５が検出した傾斜角度に応じて台形歪を補正する自動補正処理において、上述した実施の形態１で説明した、補正枠画像１００の表示を行う。
このような動作の詳細を図８に基づき次に説明する。
【００５４】
図８は実施の形態２に係る台形歪補正の動作を示すフローチャートである。
ユーザにより操作パネル４１の自動補正キー４１１が押下されると、操作信号入力部４３は、キー入力に応じた操作信号を受信し、この操作信号を制御部２０へ入力する。制御部２０は、入力された操作信号により、自動補正キー４１１の操作を検出して自動補正処理を開始する（Ｓ２０１）。
次に制御部２０は、角度検出部４５により検出された傾斜角度情報を取得し、この傾斜角度に応じた補正量を台形歪補正部３２１に出力する（Ｓ２０２）。この補正量は、例えば傾斜角度ごとに予め設定した補正量に関する情報を記憶部４４から取得することにより、補正量を求めることができる。尚、補正量の生成はこれに限らず、例えば傾斜角に求める演算など他の方法により求めても良い。
【００５５】
そして上記実施の形態１の動作と同様に、台形歪補正部３２１は、入力された補正量に基づいて、投写画像の台形歪を補正したときの画像の輪郭に相当する補正枠画像信号を生成する。画像信号処理部３２は、ＯＳＤ処理部３２０により、画像入力部３１から入力された入力画像信号と、台形歪補正部３２１が生成した補正枠画像信号とを合成した合成画像信号を出力する。
この合成された合成画像信号は、液晶ライトバルブ駆動部１４により駆動される液晶ライトバルブ１２により、投写光学系１３を介してスクリーンＳＣに投写される。
これにより、自動補正により最終的に補正される投写画像の輪郭に相当する補正枠画像１００が表示されることとなる（Ｓ２０３）。
【００５６】
次に、制御部２０は、タイマーをスタートさせた後（Ｓ２０４）、自動補正キー４１１が操作されたか否か、及びタイマースタートから所定時間が経過したか否かを判断する（Ｓ２０５，Ｓ２０６）。
【００５７】
タイマースタートから所定時間経過前に自動補正キー４１１が操作されたとき、又はタイマースタートから所定時間経過したとき（Ｓ２０５，Ｓ２０６）、制御部２０は、画像信号による投写画像Ｇ１の輪郭が、補正枠画像信号による補正枠画像１００と合うように、台形歪補正部３２１に画像信号の補正を行わせる（Ｓ２０７）。
【００５８】
次に画像信号処理部３２は、ＯＳＤ処理部３２０による合成画像信号の生成を停止し、補正された後の画像信号をそのまま出力することにより、補正枠画像１００が削除された補正後の投写画像Ｇ２が投写される（Ｓ２０８）。
【００５９】
以上のように本実施の形態２においては、入力画像信号による投写画像Ｇ１上に、角度検出部４５が検出した傾斜角度に応じた補正量により、投写画像の台形歪を補正したときの画像の輪郭に相当する補正枠画像１００を表示するので、台形歪補正後の投写画像Ｇ２の大きさと補正前の投写画像Ｇ１の大きさとを比較することができる。
【００６０】
また、自動補正処理により補正される投写画像Ｇ２の大きさと、補正前の投写画像Ｇ１の大きさとを比較することにより、ユーザは、補正後の投写画像Ｇ２が、補正前の投写画像Ｇ１（元画像）に比べて小さくなりすぎる場合に設置位置を変える目安がわかる。
【００６１】
また、補正枠画像１００を表示した後、再度、自動補正キー４１１が操作されたとき又は所定時間経過したとき、画像信号の補正を行うので、ユーザは所定時間の間、台形歪補正後の投写画像Ｇ２の大きさと補正前の投写画像Ｇ１の大きさとを比較することができる。また、ユーザは、自動補正キー４１１の操作によっても、画像信号の補正を行わせることができる。
【００６２】
また、画像信号による投写画像Ｇ１の輪郭が、補正枠画像信号による補正枠画像１００と合うように画像信号の補正を行うので、角度検出部４５が検出した傾斜角度に応じた補正量により画像信号の補正を行うことができる。
【００６３】
また、画像信号の補正を行った後、投写画像から補正枠画像１００を削除するので、台形歪補正を行った後は、入力画像信号に基づく画像を投写することができる。
【００６４】
また、角度検出部４５が検出した傾斜角度に応じた補正量により自動補正処理を行うことにより、台形歪補正キー４１０による補正操作を行う必要がなく、操作性を向上させることができる。
【００６５】
実施の形態３．
上記実施の形態２では、傾斜角度に応じた補正量に基づいて台形歪を補正する場合を説明したが、本実施の形態３では、撮像した投写画像に基づいて、投写画像の台形歪を補正する形態について説明する。尚、上記実施の形態２と同一部分については同一符号を付して、その説明を省略する。
【００６６】
図９は実施の形態３に係るプロジェクタの構成を示すブロック図である。図に示すように、本実施の形態３に係るプロジェクタ１は、上記実施の形態２の角度検出部４５に代えて、投写画像を撮像する撮像手段であるＣＣＤカメラ４６を備えている。尚、操作パネル４１、その他の構成は上記実施の形態２と同様である。
【００６７】
ＣＣＤカメラ４６は、投写光学系１３の投写レンズと同一の側面に備えられており、スクリーンＳＣに投写された画像を撮像する。制御部２０は、このＣＣＤカメラ４６によって撮像された画像から、投写画像の台形歪を是正するための補正量を生成して台形歪補正部３２１に出力する。尚、本発明の撮像手段としては、ＣＣＤカメラに限らず、例えばＣＭＯＳセンサー、ＲＧＢセンサーなどを用いても良い。
【００６８】
次に、本実施の形態３の動作を、上記実施の形態２との相違点を中心に説明する。
上記実施の形態２と同様に、ユーザにより操作パネル４１の自動補正キー４１１が押下されると、制御部２０は、自動補正処理を開始する。
ＣＣＤカメラ４６は、スクリーンＳＣに投写された画像を撮像して、当該撮像情報を制御部２０へ出力する。ここで、撮像情報は、例えばＣＣＤカメラ４６の画素毎の輝度値などを数値化した情報である。
【００６９】
制御部２０は、ＣＣＤカメラ４６によって撮像された撮像情報から、投写画像を検出し、投写画像の台形歪を是正するための補正量を生成する。この補正量は、例えば、撮像画像の輝度情報から、投写画像の四隅を検出し、当該四隅の座標により台形歪の形状を求める。そしてこの台形歪を相殺する反対向きの台形形状を算出することにより、補正量を求めることができる。尚、補正量の生成はこれに限らず、例えばテストパターンを投写して当該パターンを撮像することにより投写画像の台形歪形状を求めるなど、他の方法により求めても良い。
【００７０】
以降、上述した実施の形態２と同様の動作（Ｓ２０３〜Ｓ２０８）により、制御部２０が算出した補正量に基づいて、投写画像Ｇ１上に補正枠画像１００を表示した後、補正枠画像１００と合うように画像信号の補正を行う。
【００７１】
以上のように本実施の形態３においては、上述した実施の形態２と同様の効果を得ることができる。
【００７２】
尚、上記実施の形態１〜３では、台形歪補正の補正方向が上下方向の場合を説明したが、本発明はこれに限らず、台形歪補正の方向は、左右方向、若しくは上下左右の組み合わせ、又は投写画像の４隅の頂点を任意の位置に補正するなど任意の台形歪補正を用いても良い。
【００７３】
尚、上記実施の形態１〜３では、画像信号処理部３２に台形歪補正部３２１を備え、画像信号処理部３２に入力された画像信号を台形歪補正する場合について説明したが、本発明はこれに限らず、画像信号処理部３２の後段に台形歪補正部３２１を備え、画像信号処理部３２から出力された画像信号を液晶ライトバルブ駆動部１４へ入力する際に、台形歪補正処理を行うようにしても良い。
【００７４】
尚、上記実施の形態１〜３では、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを画像信号に基づいて制御することによって画像を投写するＤＭＤ（Ｄｉｇｉｔａｌ  Ｍｉｃｒｏｍｉｒｒｏｒ  Ｄｅｖｉｃｅ）を用いてもよい。なお、ＤＭＤは米国テキサスインスツルメンツ社の登録商標である。
【図面の簡単な説明】
【００７５】
【図１】実施の形態１に係るプロジェクタの構成を示すブロック図である。
【図２】実施の形態１に係る操作パネルの構成を示す図である。
【図３】プロジェクタの台形歪補正を説明する説明図である。
【図４】実施の形態１に係る台形歪補正の動作を示すフローチャートである。
【図５】実施の形態１に係る台形歪補正時の投写画像を示す図である。
【図６】実施の形態２に係るプロジェクタの構成を示すブロック図である。
【図７】実施の形態２に係る操作パネルの構成を示す図である。
【図８】実施の形態２に係る台形歪補正の動作を示すフローチャートである。
【図９】実施の形態３に係るプロジェクタの構成を示すブロック図である。
【符号の説明】
【００７６】
１  プロジェクタ、２  外部接続機器、１１  光源、１２Ｒ  液晶ライトバルブ、１２Ｇ  液晶ライトバルブ、１２Ｂ  液晶ライトバルブ、１３  投写光学系、１４  液晶ライトバルブ駆動部、２０  制御部、３１  画像入力部、３２  画像信号処理部、３３  フレームメモリ、４１  操作パネル、４２  リモコン受光部、４３  操作信号入力部、４４  記憶部、４５  角度検出部、４６  ＣＣＤカメラ、１００  補正枠画像、３２０  ＯＳＤ処理部、３２１  台形歪補正部、４１０  台形歪補正キー、４１１  自動補正キー、ＲＣ  リモコン、ＳＣ  スクリーン。
【図１】
2009251542.tif 000003
【図２】
2009251542.tif 000004
【図３】
2009251542.tif 000005
【図４】
2009251542.tif 000006
【図５】
2009251542.tif 000007
【図６】
2009251542.tif 000008
【図７】
2009251542.tif 000009
【図８】
2009251542.tif 000010
【図９】
2009251542.tif 000011